(57)【要約】　　　（修正有）【課題】噴霧対象箇所、噴霧対象物にはなるべくたくさんの霧を吹き付けられるようにし、噴霧の必要のないそれ以外の周囲にはなるべく霧が吹き付けられないように噴霧範囲を規制できる噴霧器を提供する。【解決手段】噴霧器１のノズル２を配したノズル部構成材３の外周に、基部に該ノズル部構成材３の外周を嵌合する嵌合開口を形成し、先端に所定の大きさ、形状に形成した開口を設けて成る噴霧範囲を規整する案内筒を、前記嵌合開口を以て前記噴霧器１のノズル２を配したノズル部構成材３に着脱自在に取り付ける。【選択図】　図２
2004034006.tif 000002
【特許請求の範囲】
【請求項１】
噴霧器のノズルを配したノズル部構成材の外周に、基部に該ノズル部構成材の外周を嵌合する嵌合開口を形成し、先端に所定の大きさ、形状に形成した開口を設けて成る噴霧範囲を規整する案内筒を、前記嵌合開口を以て前記噴霧器のノズルを配したノズル部構成材に着脱自在に取り付けることが出来るようにしたことを特徴とした噴霧範囲を規制する噴霧器。
【発明の詳細な説明】
【０００１】
【発明の属する技術分野】
本件発明は、噴霧範囲を規制することができる噴霧器に関するものである。これまでの噴霧器は、噴霧される霧の吹き付け範囲を規制しようとする考え方を採用して作られていたものはなかった。従って、噴霧器によって噴霧される霧を所定の箇所或は、所定の物体に吹き付け、その箇所、物体に所望の程度による湿気、或は水分を供給しようとしても、噴霧された霧は所定の箇所、所定の物体だけでなくその周囲にも拡散してしまい、所定の箇所、所定の物体の周囲も必要以上に湿らせてしまったり、水分供給してしまったりする場合があり、その霧が薬液の噴霧であるときは、その周囲に有害な影響を与えてしまうと言う不都合を生じてしまったり、それほどでなくても汚したりしてしまうと言う場合があった。
以下、所定の箇所を水で濡らして作業を行なっていた例を障子の貼り替え作業を例にとって説明する。
【０００２】
【従来の技術】
これまで、障子の張り替えは、障子に貼られた障子紙を剥がすために、障子枠、並に、障子枠に配された桟に糊付けされた障子紙の上面から、障子枠、並に桟に沿って水で濡らし、障子紙が障子枠や障子の桟から剥がれやすくしてから障子に貼られた障子紙を障子の枠や桟から剥がし取っていた。
【０００３】
障子の枠や桟に前記作業を行う道具としては、特に工夫された道具を用いると言うのではなく、手近にある道具例えば、一般にスポンジと称されている多孔性の合成樹脂製の伸縮性に富む適宜形状に成形された柔軟材や、雑巾と称して使われている布に水を滲み込ませ、これを以て障子紙を貼り付けた障子枠や桟に沿って障子紙の上から押し当てて、障子紙を貼り付けた障子枠や桟を濡らして、障子紙を障子枠や桟に貼り付けている接着剤の接着力を弱め、障子紙を障子枠や桟から剥がし易くしてから障子紙を障子枠や桟から剥がし取っていた。
【０００４】
前記した障子紙の面から障子枠や桟に水分を供給する作業が大変手間の掛かる作業であることは一般人の知るところである。
【０００５】
本発明者は、前記した従来手段による水分供給作業が大変であるところから、前記した従来手段に代えて効率よく水分供給をすることができる手段を考えていたところ、障子紙を貼った障子の障子紙の面から市販されている噴霧器を利用して霧を吹き付ける手段を考えた。この手段では、霧を吹き付ける作業を行うに際して十分気をつけていても障子枠からはみ出した周囲にも障子紙の面と同じように散霧することになり、障子紙に霧を吹き付けるため、障子を立て掛けていた壁や家具にも障子紙剥し剤を混入した水を霧として吹き付けることになることを知った。また、その吹き付けは障子面全体に及び、肝心な糊付けをした障子枠、桟に集中する霧の吹き付けができないことを知った。
【０００６】
特に、障子紙の張り替えに使用する液体は、障子紙を障子の枠、桟から剥がし易くするため、剥がし剤を混入した液体を使用するため、障子枠からはみ出して障子枠の周囲に、この液体を散霧するようになったときは、その霧がかかった障子枠の周囲に置かれた物体、例えば壁などはこの剥がし液により変色したり、その他いろいろな不都合を生じることになる。従って、この噴霧は障子面をはみ出して噴霧されないようにする必要がある。
【０００７】
それだけでなく、園芸等においても噴霧器を以て薬液を草花に噴霧する場合がある。この場合でも噴霧する薬液が噴霧対象物体である草花にはなるべくたくさんの薬液を噴霧し、噴霧対象物以外の草花やその周囲にはなるべくその薬液の噴霧を避けなければならない場合がある。
【０００８】
【発明が解決しようとする課題】
本発明は、上記の事情を考慮して噴霧対象箇所、噴霧対象物にはなるべくたくさんの霧を吹き付けられるようにし、噴霧の必要のないそれ以外の周囲にはなるべく霧が吹き付けられないように噴霧範囲を規制できるように工夫した噴霧器を提供しようとして開発したものである。
【０００９】
【課題を解決するための手段】
噴霧器のノズルを配したノズル部構成材の外周に、基部に該ノズル部構成材の外周を嵌合する嵌口開口を形成し、先端に所定の大きさ、形状に形成した開口を設けて成る噴霧方向を規整する案内筒を、前記嵌合開口を以て前記の噴霧器のノズルを配したノズル部構成材に着脱自在に取り付けることが出来るようにした障子紙剥し液噴射用噴霧器として構成する。
【００１０】
【実施例】
本発明を構成する噴霧器は、本発明を構成する噴霧器として特に作られたものでなくてもよい。
市販されている噴霧器でよい。
従って、どのような材料を使って作ったものか、或はその型式がどのようなものか問わない。
よって、発明を構成する噴霧器そのものの構成の説明は省略する。
【００１１】
本発明を構成する噴霧器は、一般に使われているハンドタイプの噴霧器を予定している。その噴霧器１のノズル２を配したノズル部構成材３の外周に噴霧方向を規整する案内筒５を連結するものである。
【００１２】
前記した噴霧器１のノズル部構成材３の外周に連結する噴霧範囲を規整する案内管５は、図１に示すようにその基部を前記ノズル部構成材３の外周を嵌合する嵌合開口４を基部側にもつもので、その嵌合開口４は、噴霧方向を規整する案内筒５の基部に、前記ノズル部構成材３の外周と同形の口径に形成される。
【００１３】
前記噴霧器１のノズル２を配したノズル部構成材３に連結する噴霧範囲を規整する案内筒５は、基部側開口を前記したノズル部構成材３の外周を嵌合する口径をもって形成されるが、その嵌合開口４に対応する側に前方開口６を形成する。この前方開口６は、噴霧器から噴霧される霧の吹き付け範囲を規制する役割を果たすもので、噴霧対象箇所、噴霧対象物体に所望の霧が吹き付けられるように考慮して決められる。
従って、障子の紙の貼り替に使用するときは障子の枠、桟に十分な剥がし液を散布することができる口径とし、噴霧範囲を規整する案内筒５の長さは、所望の長さに形成するものである。
また、花草に噴霧するときは、噴霧対象物体である草花の大きさ、配列の仕方を考慮し、それからそれた広い範囲に霧の吹き付けされることがないような口径、長さとするものである。
【００１４】
本発明は、噴霧器を使用する際には、図２に示すように上記のように構成した噴霧範囲を規整する案内筒５の基部を、噴霧器１のノズル２を配したノズル部構成材３の外周に噴霧方向を規整する案内筒５の基部に形成した嵌合開口４を嵌着する。
【００１５】
障子紙の剥し取り作業を例にとって説明すれば前記した状態で、噴霧器のタンク部に剥がし液を充填し、その噴霧器１をその噴霧器１の型式に応じた操作方法によって操作を行う。
【００１６】
この操作によって噴霧器１のノズル２から剥がし液が噴霧される。
それが霧となって噴霧範囲を規整する案内筒５によって散霧範囲が制約されて噴霧範囲を規整する案内筒の開口６方向に吹き出される。
従って、障子に貼られた障子紙を剥がし取るときは、障子紙を貼り付けた障子枠、桟に向かって剥がし液の噴霧操作を行う。この操作を行うときは、噴霧器１のノズル２から噴射された霧は、案内筒５の開口６によって、障子枠、桟に集中して吹き付けられる。従って、障子紙の面から、上記した操作を行うときは、障子枠、桟に塗られた接着剤を十分に濡らしてその接着力を弱め、障子枠、桟から障子紙を剥がし易くする。
【００１７】
更に、障子枠に剥がし液を吹き付けるときは、上記噴霧方向を規整する案内筒５の開口６より、吹き付けられた霧は、障子枠からはみ出して障子枠の周囲に散布することを極力防止することができる。
この操作により、障子枠の周囲に散布した剥がし液の霧が付着するのを防止し、障子枠の周囲を汚したりすることを防止することができる。
【００１８】
上記した例の外に草花に薬液の霧をなるべく多く吹き付け、噴霧対象草花の周囲にはなるべく霧を吹き付けないようにする作業にも使用できることは勿論である。
【００１９】
本発明にかかる噴霧器は上記の通りに構成されているので、噴霧器を使用しないときは、案内筒を噴霧器のノズル部構成材から取りはずすことができる。
従って、案内筒を噴霧器本体から取りはずして収納するのに差支えはない。
【００２０】
【発明の効果】
本発明にかかる噴霧器は構造が簡単であり、噴霧対象箇所、噴霧対象物体になるべく多くの霧を散布でき、噴霧対象箇所、噴霧対象物体以外の周囲には余分な霧の吹き付けを制限できる。
【図面の簡単な説明】
【図１】噴霧器に連結する噴霧方向を規整する案内筒の斜視図
【図２】噴霧器に連結した状態の噴霧方向を規整する案内筒の断面図
【符号の説明】
１．　噴霧器
２．　ノズル
３．　ノズル部構成材
４．　噴霧方向を規整する案内筒の基部に設ける開口
５．　噴霧方向を規整する案内筒
６．　噴霧方向を規整する案内筒の前方に設ける開口
【図１】
2004034006.tif 000003
【図２】
2004034006.tif 000004